(57)【要約】【課題】訓練効果の高い老視用の眼調節力回復装置を提供する。【解決手段】被訓練眼に対し画像を呈示する画像呈示手段（１２）と、前記画像の呈示位置を前記被訓練眼の光軸方向に移動させる走査機構（１２ｄ）と、前記走査機構を駆動制御し、前記被訓練眼の近点よりも遠方の位置からその近点よりも近方の位置へと前記画像の呈示位置を走査する制御手段（１５）を備えたことを特徴とする。このように画像の呈示位置が遠方から近方の方向に走査されると、被訓練眼の毛様体筋は、緊張の少ない状態から緊張した状態にまで変化するよう自然に促される。【選択図】      図１
2004321363.tif 000002
【特許請求の範囲】
【請求項１】
被訓練眼に対し画像を呈示する画像呈示手段と、
前記画像の呈示位置を前記被訓練眼の光軸方向に移動させる移動機構と、
前記移動機構を駆動制御し、前記被訓練眼の近点よりも遠方の位置からその近点よりも近方の位置へと前記画像の呈示位置を走査する制御手段とを備えた
ことを特徴とする眼調節力回復装置。
【請求項２】
請求項１に記載の眼調節力回復装置において、
前記制御手段は、
前記走査を繰り返し行う
ことを特徴とする眼調節力回復装置。
【請求項３】
請求項２に記載の眼調節力回復装置において、
前記制御手段は、
前記走査を繰り返す毎にその走査の速度を低下させる
ことを特徴とする眼調節力回復装置。
【請求項４】
請求項２又は請求項３の何れか一項に記載の眼調節力回復装置において、
前記被訓練眼の眼屈折力の変化を検出する検出手段をさらに備えた
ことを特徴とする眼調節力回復装置。
【請求項５】
請求項４に記載の眼調節力回復装置において、
前記制御手段は、
前記走査の期間に前記検出手段の出力を監視し、前記眼屈折力の変化が０又は０相当になったときにおける前記画像の呈示位置を前記被訓練眼の近点とみなし、後続する前記走査の開始位置をその近点よりも所定量だけ遠方の位置に設定する
ことを特徴とする眼調節力回復装置。
【請求項６】
請求項５に記載の眼調節力回復装置において、
前記制御手段は、
前記走査を繰り返す期間に前記近点の変化を監視し、その変化が０又は０相当になった時点で前記走査の繰り返しを停止する
ことを特徴とする眼調節力回復装置。
【発明の詳細な説明】
【０００１】
【発明の属する技術分野】
本発明は、老視用の眼調節力回復装置に関する。
【０００２】
【従来の技術】
老視とは、年齢と共に眼調節力（眼のピント調節力）が低下し、近方視が困難になった状態である。
その原因としては、水晶体の柔軟性の低下、及び毛様体筋の筋力の低下が考えられる。
【０００３】
このうち水晶体の柔軟性については一般に回復不可能とされているが、毛様体筋の筋力については訓練によって回復させたりその低下を抑えることが可能である。
特許文献１に記載された眼調節力回復装置は、その訓練のため、被訓練眼に対する視標の呈示位置を遠方の所定位置と近方の所定位置との間でステップ移動させて、その被訓練眼の毛様体筋の伸縮を促すものである。
【０００４】
【特許文献１】
特開２０００−７０３１７号公報
【０００５】
【発明が解決しようとする課題】
しかし、視標を見ることのできる距離範囲は老視の進行度により異なる。
【０００６】
よって、老視の進行した被訓練眼にとっては呈示された視標が見えず、適正な訓練ができないことがある。
或いはその逆に、老視の進行していない被訓練眼にとっては十分に見える範囲内でしか訓練ができず、訓練効果がほとんど得られないことがある。
【０００７】
その他、この眼調節力回復装置では視標の呈示位置がステップ移動するので、老視の進行度がたとえ平均的であったとしても、被訓練者は高い集中力を持続しなければ移動するその視標を目視することできない。
そこで本発明は、訓練効果の高い老視用の眼調節力回復装置を提供することを目的とする。
【０００８】
【課題を解決するための手段】
請求項１に記載の眼調節力回復装置は、被訓練眼に対し画像を呈示する画像呈示手段と、前記画像の呈示位置を前記被訓練眼の光軸方向に移動させる移動機構と、前記移動機構を駆動制御し、前記被訓練眼の近点よりも遠方の位置からその近点よりも近方の位置へと前記画像の呈示位置を走査する制御手段とを備えたことを特徴とする。
【０００９】
請求項２に記載の眼調節力回復装置は、請求項１に記載の眼調節力回復装置において、前記制御手段は、前記走査を繰り返し行うことを特徴とする。
請求項３に記載の眼調節力回復装置は、請求項２に記載の眼調節力回復装置において、前記制御手段は、前記走査を繰り返す毎にその走査の速度を低下させることを特徴とする。
【００１０】
請求項４に記載の眼調節力回復装置は、請求項２又は請求項３の何れか一項に記載の眼調節力回復装置において、前記被訓練眼の眼屈折力の変化を検出する検出手段をさらに備えたことを特徴とする。
請求項５に記載の眼調節力回復装置は、請求項４に記載の眼調節力回復装置において、前記制御手段は、前記走査の期間に前記検出手段の出力を監視し、前記眼屈折力の変化が０又は０相当になったときにおける前記画像の呈示位置を前記被訓練眼の近点とみなし、後続する前記走査の開始位置をその近点よりも所定量だけ遠方の位置に設定することを特徴とする。
【００１１】
請求項６に記載の眼調節力回復装置は、請求項５に記載の眼調節力回復装置において、前記制御手段は、前記走査を繰り返す期間に前記近点の変化を監視し、その変化が０又は０相当になった時点で前記走査の繰り返しを停止することを特徴とする。
【００１２】
【発明の実施の形態】
以下、図面に基づいて本発明の実施形態について説明する。
【００１３】
［第１実施形態］
図１、図２、図３に基づいて本発明の第１実施形態について説明する。
本実施形態は、眼調節力回復装置の実施形態である。
図１は、本実施形態（及び後述する第２実施形態）の眼調節力回復装置１の構成図である。
【００１４】
この眼調節力回復装置１は、不図示の装着具により被訓練者の頭部に固定されるか、或いは、卓上などに設置されるなどして被訓練者の眼前に配置される。
眼調節力回復装置１には、投影部１２、屈折力測定部１１、ダイクロイックミラー１３、制御部１５などが備えられる。
投影部１２には、被訓練眼１０に近い側（近方）から順に、凸レンズ１２ｃ、視標１２ａ、及び光源（可視光源である。）１２ｂが配置される。
【００１５】
光源１２ｂによって照明された視標１２ａからの光束は、凸レンズ１２ｃにおいて平行光束に近い状態に変換されてから被訓練眼１０へ入射する。
よって、被訓練眼１０から見ると、視標１２ａの実際の位置よりも遠方にその視標１２ａの虚像が形成される。
この投影部１２内の視標１２ａと光源１２ｂとは、互いに位置関係を不変にした状態で共に視標移動機構１２ｄ及びモータ１２ｅによって被訓練眼１０の光軸方向に移動可能である。この移動に伴い、視標１２ａの虚像もその方向に移動する。
【００１６】
屈折力測定部１１は、例えば、特開平６−１３５７５７号公報に記載された屈折力測定装置のように、検影法が適用された屈折力測定装置などである。
屈折力測定部１１には、スリットが形成されたチョッパ１１ａ、チョッパ１１ａを回転させるモータ１１ｉ、チョッパ１１ａを照明する光源（赤外光光源である。）１１ｂ、チョッパ１１ａにより形成される縞模様を被訓練眼１０の眼底に投影するレンズ１１ｄ、被訓練眼１０の眼底から戻る光が形成する縞模様の移動速度を検出するための受光部１１ｈなどが備えられる（なお、符号１１ｆ、１１ｃはレンズ、符号１１ｅはハーフミラー、符号１１ｇは絞りを示している。）。
この屈折力測定部１１においてチョッパ１１ａが回転すると、被訓練眼１０の眼底に投影される縞模様は移動する。このとき被訓練眼１０の眼屈折力が変化すると、受光部１１ｈ上に形成される縞模様の移動速度も変化する。よって、受光部１１ｈが検出する信号の変化は、被訓練眼１０の眼屈折力の変化を示す。
なお、本実施形態の屈折力測定部１１は、被訓練眼１０の眼屈折力のうち少なくとも１つの径方向の眼屈折力の変化さえ測定できればよいので、チョッパ１１ａの形成する縞模様の移動方向は少なくとも１方向でよく、また、受光部１１ｈが検出する移動速度は、少なくともその移動方向に対応する１方向についての移動速度であればよい。
ダイクロイックミラー１３は、投影部１２が出射する光（可視光）と屈折力測定部１１が出射する測定光（赤外光）とを、それぞれ被訓練眼１０へ導くと共に、被訓練眼１０から戻る赤外光を屈折力測定部１１へ戻す働きをする。
【００１７】
制御部１５は、ＣＰＵ、及びその動作に使用されるメモリを備えた回路である。
制御部１５は、投影部１２内の光源１２ｂ及びモータ１２ｅを駆動制御することにより、被訓練眼１０の光軸上における視標１２ａの虚像の位置を制御することができる。
また、制御部１５は、屈折力測定部１１内の光源１１ｂ、モータ１１ｉ、及び受光部１１ｈを駆動制御しつつ受光部１１ｈの出力を参照することにより、被訓練眼１０の眼屈折力を検出することができる（なお、この眼屈折力の変化の検出は、０．２秒程度の比較的短い期間毎に行うことができる）。
以下、詳細に説明する。
【００１８】
図２は、本実施形態の制御部１５の動作フローチャートであり、図３は、制御部１５の指示下で移動する視標１２ａの虚像の位置変化を示すグラフである。  先ず、制御部１５は、視標１２ａの虚像の位置Ｄを、十分に遠方の位置Ｄ００に設定する（図２ステップＳ１１，図３（１））。
この所定位置Ｄ００は、被訓練眼１０を基準とした十分に遠方の位置、例えば、被訓練眼１０を基準とした１０ｍの遠隔位置である。
【００１９】
以下では、位置を、その位置に配置された物体を結像するために必要な被訓練眼１０の眼屈折力で表す。位置Ｄ００は、約０．１Ｄｐ（ディオプター）である。
ここで、その位置の被訓練眼１０からの距離と、眼屈折力との関係は、
眼屈折力（Ｄｐ：ディオプター）＝１／距離（ｍ）で表される。
次に、制御部１５は、視標１２ａの虚像の位置Ｄを近方に向けて所定の走査速度ΔＤで走査し始める（図２ステップＳ１２，図３（２））。また、それと同時に、被訓練眼１０の眼屈折力の変化も監視し始める。
【００２０】
この所定の走査速度ΔＤは、被訓練眼１０が視標１２ａを明視できている限りはその眼屈折力を追従させることのできる十分に緩やかな速度であり、例えば、０．２５Ｄｐ／ｓｅｃである。
その後、制御部１５は、眼屈折力の変化が０又は０相当（例えば、変化速度が０．０１Ｄｐ／ｓｅｃ未満）となった時点（図２ステップＳ１３ＮＯ，図３（３））で走査を停止すると共に、その時点における視標１２ａの虚像の位置を被訓練眼１０の近点位置（明視できる一番近方の位置）Ｄ０とみなし、その近点位置Ｄ０を記憶する（図２ステップＳ１４）。
【００２１】
続いて、制御部１５は、視標１２ａの虚像の位置Ｄを、その近方位置Ｄ０よりもαだけ遠方の位置（Ｄ０−α）に設定する（図２ステップＳ１６，図３（４））。このαの値は、０．５Ｄｐ〜１Ｄｐである。
その後、制御部１５は、再び視標１２ａの虚像の位置Ｄを近方に向けて所定の走査速度ΔＤで走査し始め（図２ステップＳ１２，図３（５））、また、それと同時に被訓練眼１０の眼屈折力の変化も監視し始める。
【００２２】
その後、眼屈折力の変化が０又は０相当となった時点（図２ステップＳ１３ＮＯ，図３（６））で走査を停止すると共に、その時点における視標１２ａの虚像の位置を被訓練眼１０の新たな近点位置Ｄ０とみなし、その新たな近点位置Ｄ０を記憶する（図２ステップＳ１４）。
続いて、制御部１５は、視標１２ａの虚像の位置Ｄを、その新たな近方位置Ｄ０よりもαだけ遠方の位置（Ｄ０−α）に設定し（図２ステップＳ１６，図３（７））、ステップＳ１２に戻る。
【００２３】
このように制御部１５は、近点位置Ｄ０を更新しつつ、以上のステップＳ１２，Ｓ１３，Ｓ１４，Ｓ１６を繰り返す（図３（８），（９），（１０），（１１），（１２），（１３），（１４））。
ここで、以上のように視標１２ａの虚像の走査が繰り返されると、被訓練眼１０の毛様体筋が鍛えられ、被訓練眼１０の近点位置Ｄ０が徐々に近方に移動する可能性がある。これが訓練の成果である。そして、限界にまで達すると、それ以上訓練を続けても近点位置Ｄ０は移動しなくなる。
そこで、制御部１５は、走査を繰り返す毎に、近点位置Ｄ０とその前回値及び前々回値との差を判定し（ステップＳ１５）、その差が０又は０相当（例えば０．０１Ｄｐ未満）になった時点で（ステップＳ１５ＮＯ）、終了する（図３（１５））。
【００２４】
以上、本実施形態のステップＳ１１〜Ｓ１６によれば、被訓練眼１０の近点位置Ｄ０よりも遠方からその近点位置Ｄ０よりも近方まで視標１２ａの虚像が走査される。
【００２５】
被訓練眼１０は、少なくともその近点位置Ｄ０の近傍から遠方側では、確実に視標１２ａの虚像を明視することができる。
また、その明視している虚像が遠方から近方の方向に走査されると、被訓練眼１０の毛様体筋は、緊張の少ない状態から緊張した状態にまで変化するよう自然に促される。
したがって、本実施形態の眼調節力回復装置１は、老視の被訓練眼１０を適正かつ容易に訓練することができる。
【００２６】
しかも、本実施形態の眼調節力回復装置１では、その近点位置Ｄ０が屈折力測定部１１による実測に基づいているので、被訓練眼１０の老視の進行度に拘わらず確実にその訓練が可能である。
（その他）
なお、本実施形態の眼調節力回復装置１では、訓練終了のタイミングが、近点位置Ｄ０の変化が０又は０相当になった時点とされているが、視標１２ａの虚像の走査回数が所定回数となった時点としてもよい。このようにすれば、被訓練眼１０の老視の進行度によっては訓練過剰又は訓練不足が生じ得るものの、制御手段１５のプログラムの簡略化が図られる。
【００２７】
また、本実施形態の眼調節力回復装置１において装置の簡略化を図るならば、屈折力測定部１１を省略し、かつ１回の走査範囲が遠方から近方までの広い範囲に固定されるよう制御部１５の動作に変更を加えてもよい。
また、本実施形態の眼調節力回復装置１の構成を一部変更し、訓練の成果（訓練開始時の近点位置Ｄ０と訓練終了時の近点位置Ｄ０との差など）を被訓練者に呈示する手段を付加してもよい。
【００２８】
［第２実施形態］
図４、図５に基づいて本発明の第２実施形態について説明する。
本実施形態は、第１実施形態と同様、眼調節力回復装置の実施形態である。
【００２９】
本実施形態の眼調節力回復装置と第１実施形態の眼調節力回復装置との相違点は、ソフトウエア（制御部１５の動作）のみにあるので、ここでは、その相違点についてのみ説明し、その他の部分についての説明は省略する。
図４は、本実施形態の制御部１５の動作フローチャートであり、図５は、制御部１５の指示下で移動する視標１２ａの虚像の位置変化を示すグラフである。
【００３０】
先ず、制御部１５は、視標１２ａの虚像の位置Ｄを、十分に遠方の位置Ｄ００に設定する（図４ステップＳ１１，図５（１））。
次に、制御部１５は、走査速度ΔＤを所定の初期値（例えばΔＤ１＝０．２５Ｄｐ／ｓｅｃ）に設定し（図４ステップＳ２１）、その走査速度ΔＤ１で視標１２ａの虚像の位置Ｄを近方に向けて走査し始める（図４ステップＳ２２，図５（２））。また、それと同時に、被訓練眼１０の眼屈折力の変化も監視し始める。
【００３１】
その後、制御部１５は、眼屈折力の変化が０又は０相当となった時点（図４ステップＳ１３ＮＯ，図５（３））で走査を停止すると共に、その時点における視標１２ａの虚像の位置を被訓練眼１０の近点位置（明視できる一番近方の位置）Ｄ０とみなし、その近点位置Ｄ０を記憶する（図４ステップＳ１４）。
続いて、制御部１５は、視標１２ａの虚像の位置Ｄを、その近方位置Ｄ０よりもαだけ遠方の位置（Ｄ０−α）に設定する（図４ステップＳ１６，図５（４））。
【００３２】
そして、制御部１５は、走査速度ΔＤ２を前回値よりもΔだけ遅い速度（ΔＤ１−Δ）（例えば、Δ＝０．０５Ｄｐ／ｓｅｃ）に設定し（図４ステップＳ２６）、その走査速度ΔＤ２で視標１２ａの虚像の位置Ｄを近方に向けて走査し始め（図４ステップＳ２２，図５（５））、また、それと同時に被訓練眼１０の眼屈折力の変化も監視し始める。
【００３３】
その後、眼屈折力の変化が０又は０相当となった時点（図４ステップＳ１３ＮＯ，図５（６））で走査を停止すると共に、その時点における視標１２ａの虚像の位置を被訓練眼１０の新たな近点位置Ｄ０とみなし、その新たな近点位置Ｄ０を記憶する（図４ステップＳ１４）。
続いて、制御部１５は、視標１２ａの虚像の位置Ｄを、その新たな近方位置Ｄ０よりもαだけ遠方の位置（Ｄ０−α）に設定する（図４ステップＳ１６，図５（７））。そして、制御部１５は、走査速度ΔＤ３を前回値よりもΔだけ遅い速度（ΔＤ２−Δ）に設定し（図４ステップＳ２６）、ステップＳ２２に戻る。
【００３４】
このように制御部１４は、近点位置Ｄ０、及び走査速度ΔＤを更新しつつ、以上のステップＳ２２，Ｓ１３，Ｓ１４，Ｓ１６、Ｓ２６を、繰り返す（図５（８），（９），（１０），（１１），（１２）・・・）。
そして、制御部１５は、走査を繰り返す毎に、近点位置Ｄ０とその前回値及び前々回値との差を判定し（ステップＳ１５）、その差が０又は０相当になった時点で（ステップＳ１５ＮＯ）、終了する。
【００３５】
以上、本実施形態のステップＳ１１〜Ｓ２６によれば、視標１２ａの虚像の走査速度は、走査が繰り返される毎に緩やかになる。
このように走査速度を徐々に緩やかにすれば、老視の被訓練眼１０をゆっくりと訓練することができるので、時間はかかるものの、高い訓練効果が期待できる。
（その他）
なお、本実施形態の眼調節力回復装置では、訓練終了のタイミングが、近点位置Ｄ０の変化が０又は０相当になった時点とされているが、視標１２ａの虚像の走査回数が所定回数となった時点としてもよい。このようにすれば、被訓練眼１０の老視の進行度によっては訓練過剰又は訓練不足が生じ得るものの、制御手段１５のプログラムの簡略化が図られる。
【００３６】
また、本実施形態の眼調節力回復装置１において装置の簡略化を図るならば、屈折力測定部１１を省略し、かつ１回の走査範囲が遠方から近方までの広い範囲に固定されるよう制御部１５の動作に変更を加えてもよい。
また、本実施形態の眼調節力回復装置１の構成を一部変更し、訓練の成果（訓練開始時の近点位置Ｄ０と訓練終了時の近点位置Ｄ０との差など）を被訓練者に呈示する手段を付加してもよい。
【００３７】
また、本実施形態の眼屈折力回復装置には、被訓練眼１０の近点位置を判定するために屈折力測定部１１が搭載されているが、これを省略し、以下のようにしてその判定をすることもできる。
例えば、視標１２ａの虚像が図３の（３）の位置まで動くときに、明視できていた（ピントが合っていた）視標１２ａが明視できなくなった（ボケる）タイミングで、被訓練者が眼調節力回復装置１に対し合図を与える。眼調節力回復装置１側では、この合図のあった時点における視標１２ａの虚像の位置を、近点位置とみなせばよい。
【００３８】
また、本実施形態では、画像の虚像を生成し、その虚像を眼に呈示するタイプの眼屈折力回復装置について説明したが、画像の実像を眼に呈示するタイプの眼屈折力回復装置にも本発明は適用可能である。
【００３９】
【発明の効果】
以上説明したとおり本発明によれば、訓練効果の高い老視用の眼調節力回復装置が実現する。
【図面の簡単な説明】
【図１】第１実施形態及び第２実施形態の眼調節力回復装置１の構成図である。
【図２】第１実施形態の制御部１５の動作フローチャートである。
【図３】制御部１５の指示下で移動する指標１２ａの虚像の位置変化を示すグラフである。
【図４】第２実施形態の制御部１５の動作フローチャートである。
【図５】制御部１５の指示下で移動する指標１２ａの虚像の位置変化を示すグラフである。
【符号の説明】
１  眼調節力回復装置
１０  被訓練眼
１１  屈折力測定部
１２  投影部
１３  ダイクロイックミラー
１５  制御部
１１ａ  チョッパ
１１ｉ  モータ
１１ｂ  光源
１１ｄ  レンズ
１１ｅ  ハーフミラー
１１ｇ  絞り
１１ｈ  受光部
１２ｃ  凸レンズ
１２ａ  視標
１２ｂ  光源
【図１】
2004321363.tif 000003
【図２】
2004321363.tif 000004
【図３】
2004321363.tif 000005
【図４】
2004321363.tif 000006
【図５】
2004321363.tif 000007